【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
ロックできる取り外し可能なカセットを含む装置であって、該ロックできる取り外し可能なカセットは、
シャーシ内への取り付けの間該カセットをガイドするガイド手段と、
該シャーシ内への取り付けの間の係合のためのラッチ手段と、
該ラッチ手段は、該カセットの第１の対向する外側表面と第２の対向する外側表面の各々状にそれぞれの突出部を含み、該第１の外側表面上の突出部は、該第２の外側表面上の突出部とは反対方向に該カセットから外側に突出しており、
カセットが取り付けの間確実にラッチされていない場合、偏倚手段が該シャーシから離れる方向に該カセットを移動させ、
保持力に抗するのに十分な力で該シャーシから離れる方向に該カセットを引っ張ることで、該カセットは、該シャーシに確実にロックされた状態から開放可能である装置。
【請求項２】
請求項１に記載の装置において、可撓性のハンドルおよび一体型のグリップのうちの少なくとも１つをさらに備える装置。
【請求項３】
請求項１に記載の装置において、固定されていないカセットが、ホスト機のアクセス扉に干渉する装置。
【請求項４】
請求項１に記載の装置において、開口および透明な窓のうちの少なくとも１つをさらに備える装置。
【請求項５】
請求項１に記載の装置において、スタッカ機構をさらに備える装置。
【請求項６】
請求項５に記載の装置において、スタッカ機構が、
スタッカ・プレートと、
該スタッカ・プレートに結合され、非円形の駆動ギアを含む駆動手段とを備える装置。
【請求項７】
ロック可能かつ取り外し可能なカセットであって、
少なくとも１つのガイドと、
少なくとも１つの突起と、
少なくとも１つの傾斜とを備え、
該カセットがシャーシ内に装填されたとき、該ガイドがシャーシ・ガイドと係合し、該突起が偏倚手段と係合し、該傾斜がラッチ手段と係合し、それにより、該カセットが誤って装填された場合、偏倚手段がカセットをシャーシから出すカセット。
【請求項８】
請求項７に記載に記載のカセットにおいて、可撓性のハンドルおよび一体型グリップのうちの少なくとも１つをさらに備えるカセット。
【請求項９】
請求項７に記載のカセットにおいて、該カセットのシャーシへの確実なラッチができないと、ホスト機の扉と機械的な干渉が発生するカセット。
【請求項１０】
請求項７に記載のカセットにおいて、開口および透明な窓のうちの少なくとも１つをさらに備えるカセット。
【請求項１１】
請求項７に記載のカセットにおいて、スタッカ機構をさらに備えるカセット。
【請求項１２】
請求項１１に記載のカセットにおいて、該スタッカ機構が、
スタッカ・プレートと、
該スタッカ・プレートに結合され、非円形の駆動ギアを含む駆動手段とを備えるカセット。
【請求項１３】
ロック可能且つ取り外し可能なカセットのガイド手段を、シャーシのガイド手段と位置合わせするステップと、
該ロック可能且つ取り外し可能なカセットを、カセットを該シャーシに固定するための偏倚手段の抵抗力に打ち勝つのに十分な力で押圧するステップとを含み、該カセットの第１の対向する外側表面と第２の対向する外側表面の各々にあるそれぞれの突出部が、該シャーシと係合し、該第１の外側表面にある突出部が、該第２の外側表面にある該突出部とは反対の方向に向かって該カセットから外側に突出しており、
その後、該シャーシから該カセットを取り外すステップを含み、保持力に抗するのに十分な力で該シャーシから該カセットを引っ張ると、該カセットは、該シャーシに固定されている状態から自動的に開放される方法。
【請求項１４】
請求項１３に記載の方法において、不十分な力が加えられた場合、偏倚手段が該ロック可能且つ取り外し可能なカセットをシャーシから遠ざける方法。
【請求項１５】
請求項１４に記載の方法において、固定されていないカセットが、ホスト機のアクセス扉の閉扉に干渉する方法。
【請求項１６】
請求項１３に記載の方法において、開口および透明な窓のうちの少なくとも１つを通して、該ロック可能且つ取り外し可能なカセットの内容物を観察するステップをさらに含む方法。
【請求項１７】
請求項１３に記載の方法において、保持力に打ち勝つのに十分な引張り力を及ぼすことによって、該ロック可能且つ取り外し可能なカセットを取り外すステップをさらに含む方法。
【請求項１８】
書類処理システムであって、
シャーシと、
ロック可能且つ取り外し可能なカセットと、
ラッチング手段とを含み、該ラッチング手段は、該カセットの第１の対向する外側表面と第２の対向する外側表面の各々にあるそれぞれの突出部を含み、該第１の外側表面上の該突出部は、該第２の外側表面上の該突出部とは反対方向に該カセットから外側に突出しており、
偏倚手段とを含み、
該カセットが該シャーシに確実にロックされなかった場合に、該偏倚手段は、該シャーシからはなれる方向に該カセットを移動させ、
保持力に抗するのに十分な力で該シャーシから離れる方向に該カセットを引っ張ると、該カセットは、該シャーシに確実にロックされている状態から自動的に開放される書類処理システム。
【請求項１９】
請求項１８に記載のシステムにおいて、紙幣鑑別機をさらに備える書類処理システム。
【請求項２０】
請求項１８に記載のシステムにおいて、スタッカ機構をさらに備える書類処理システム。
【請求項２１】
請求項２０に記載のシステムにおいて、該スタッカ機構が、
スタッカ・プレートと、
スタッカ・プレートに結合され、非円形の駆動ギアを含む駆動手段とを備える書類処理システム。
【請求項２２】
請求項２０に記載のシステムにおいて、該ロック可能且つ取り外し可能なカセットの取付けと、少なくともスタッカ機構の定位置とを検知する書類処理システム。
【請求項２３】
請求項２２に記載のシステムにおいて、センサが、光源と、光路手段および受信機を備える書類処理システム。
【請求項２４】
請求項２３に記載のシステムにおいて、該光路手段が、少なくとも１つの入力ポートと、遮断位置および出力ポートを有する光パイプを備える書類処理システム。
【請求項２５】
請求項２４に記載のシステムにおいて、少なくとも１つの遮断部分が、該スタッカのプッシャ・プレートに接続されている書類処理システム。
【請求項２６】
請求項２４に記載のシステムにおいて、プリズムをさらに備える書類処理システム。
【請求項２７】
ロック可能且つ取り外し可能な通貨カセットを構成する方法であって、
単壁の射出成形された設計に従って該カセットを成形するステップと、および、
アクセス扉をカセット殻に接続するステップとを含む方法。
【請求項２８】
請求項２７に記載の方法において、該カセットの壁が、熱可塑性溶接技術を用いて接合される方法。
【請求項２９】
請求項２８に記載の方法において、電磁場を使用して、壁を溶接するための熱エネルギーを供給する方法。
【請求項３０】
スタッカ機構であって、
スタッカ・プレートと、
該スタッカ・プレートに結合され、非円形の駆動ギアを含む駆動手段とを備えるスタッカ機構。
【請求項３１】
紙幣を格納するカセットであって、
紙幣スタッカ・プレートと、
該紙幣スタッカ・プレート上の固定点の周囲の第１端部に回転可能に軸結合された第１のシザー・アームと、
前記紙幣スタッカ・プレートの第１端部で前記スタッカ・プレートに接続され、前記第１のシザー・アームの長さのほぼ中央に配置されたシザー枢支点の周りで枢動可能に前記第１のシザー・アームに接続された第２のシザー・アームとを含み、第２のシザー・アームは、フレーム上の固定点の周りの第２端部で枢動可能に接続され、
該フレームにスライド可能に接続されている前記第１のシザー・アームの第２端部と前記シザー枢支点との間に配置された枢支点部で、前記第１のシザー・アームに接続されている、スタッカ・プレートを駆動するためのリンク・アームとを備えるカセット。
【請求項３２】
請求項３１に記載のカセットにおいて、該リンク・アームは、該第１のシザー・アームと実質的に同一平面内にあり、該第１のシザー・アームに直接接続されているカセット。
【請求項３３】
請求項３１に記載のカセットにおいて、リンク・アームに結合され、非円形のギアを有する駆動手段をさらに備えるカセット。
【請求項３４】
プラスチック成形された殻と、このプラスチック成形された殻に接続された通貨アクセス扉とからなる単層壁構造を有し、ロックでき取り外し可能なカセットを含む紙幣処理用の装置であって、
該プラスチック成形された殻の一部分は、強度を付与するための剛性の材料及び衝撃吸収を改善するための柔軟な材料のうちの少なくとも１つである強化材料と結合されている装置。
【請求項３５】
プラスチック殻と、このプラスチック殻に接続された通貨アクセス扉とからなる単層壁構造を有し、ロックでき取り外し可能なカセットを含む紙幣処理用の装置であって、
該カセットは、該通貨アクセス扉が閉じた位置にあるときに、閉じた矩形の箱の形状に実質的にあり、および該プラスチック殻は該カセットの４つの側壁の各々の少なくとも主要部を形成し、ならびに該通貨アクセス扉は該カセットの６番目の側壁を形成し、該通貨アクセス扉の反対側の該カセットの側壁は該カセットに蓄積される紙幣の挿入のための開口を含んでいる装置。